(57)【要約】【課題】回転体と軸部とが固着してしまっても、その固着状態を解消してスムーズに体毛を剃ることのできるかみそり器を得る。【解決手段】電気かみそり（かみそり器）１は、体毛３９を剃る刃ユニット（刃部）１７と、刃ユニット１７で体毛３９を剃る際に肌表面４１に接触しつつ回転可能なローラ（回転体）３１と、ローラ３１を支持する回転支持軸（軸部）３５と、ローラ３１と回転支持軸３５との間に浸入した異物７０によるローラ３１および回転支持軸３５の固着結合状態を解消するソレノイド（固着解消手段）５８と、を備える。【選択図】図２
2013111315.tif 000002
【特許請求の範囲】
【請求項１】
体毛を剃る刃部と、
前記刃部で体毛を剃る際に肌表面に接触しつつ回転可能な回転体と、
前記回転体を支持する軸部と、
前記回転体と前記軸部との間に浸入した異物による当該回転体および軸部の固着結合状態を解消する固着解消手段と、を備えることを特徴とするかみそり器。
【請求項２】
前記固着解消手段が、前記異物に外力を付加するものであることを特徴とする請求項１に記載のかみそり器。
【請求項３】
前記軸部を軸方向に動作させることで前記異物に外力を付加することを特徴とする請求項２に記載のかみそり器。
【請求項４】
前記軸部に、前記固着解消手段としての直動モータを取り付けたことを特徴とする請求項３に記載のかみそり器。
【請求項５】
前記直動モータを、超音波モータで構成したことを特徴とする請求項４に記載のかみそり器。
【請求項６】
前記直動モータを、リニアモータで構成したことを特徴とする請求項４に記載のかみそり器。
【請求項７】
前記軸部を軸回転方向に動作させることで前記異物に外力を付加することを特徴とする請求項２に記載のかみそり器。
【請求項８】
前記固着解消手段が、前記軸部を有した回転モータであることを特徴とする請求項７に記載のかみそり器。
【請求項９】
前記固着解消手段が、リニアモータであり、
前記リニアモータの出力で前記軸部を軸回転方向に回転させるように構成したことを特徴とする請求項７に記載のかみそり器。
【請求項１０】
前記固着解消手段が、前記異物に化学反応を起こさせるものであることを特徴とする請求項１に記載のかみそり器。
【請求項１１】
前記固着解消手段が、界面活性剤を前記異物に向けて噴射する噴射器であることを特徴とする請求項１０に記載のかみそり器。
【請求項１２】
前記固着解消手段が、熱を利用したものであることを特徴とする請求項１０に記載のかみそり器。
【請求項１３】
前記軸部に、前記固着解消手段としてのヒータを取り付けたことを特徴とする請求項１２に記載のかみそり器。
【請求項１４】
前記固着解消手段が、リニアモータであり、
前記軸部に前記リニアモータの発熱が伝わるように構成したことを特徴とする請求項１２に記載のかみそり器。
【発明の詳細な説明】
【技術分野】
【０００１】
本発明は、かみそり器に関する。
【背景技術】
【０００２】
従来より、体毛を剃る刃部に加えてこの刃部で体毛を剃る際に肌表面に接触しつつ回転可能な回転体を設けることで、刃部を肌面上に沿って移動させる際の摩擦力を低減できるようにしたかみそり器が知られている（例えば、特許文献１参照）。
【先行技術文献】
【特許文献】
【０００３】
【特許文献１】特開２００９−２３２８９４号公報
【発明の概要】
【発明が解決しようとする課題】
【０００４】
しかしながら、上記従来のかみそり器にあっては、回転体が肌表面に接触しながら回転するので、回転体とこの回転体を支持する軸部との間に、例えば髭くずや皮脂などの異物がどうしても付着してしまう。そのため、その異物によって回転体と軸部とが固着してしまい、回転体の回転が円滑に行われなくなり摩擦低減効果が損なわれてしまう恐れがあった。
【０００５】
そこで、本発明は、回転体と軸部とが固着してしまっても、その固着状態を解消してスムーズに体毛を剃ることのできるかみそり器を得ることを目的とする。
【課題を解決するための手段】
【０００６】
上記目的を達成するために、本発明の第１の特徴は、体毛を剃る刃部と、前記刃部で体毛を剃る際に肌表面に接触しつつ回転可能な回転体と、前記回転体を支持する軸部と、前記回転体と前記軸部との間に浸入した異物による当該回転体および軸部の固着結合状態を解消する固着解消手段と、を備えることを特徴とする。
【０００７】
本発明の第２の特徴は、前記固着解消手段が、前記異物に外力を付加するものであることを特徴とする。
【０００８】
本発明の第３の特徴は、前記軸部を軸方向に動作させることで前記異物に外力を付加することを特徴とする。
【０００９】
本発明の第４の特徴は、前記軸部に、前記固着解消手段としての直動モータを取り付けたことを特徴とする。
【００１０】
本発明の第５の特徴は、前記直動モータを、超音波モータで構成したことを特徴とする。
【００１１】
本発明の第６の特徴は、前記直動モータを、リニアモータで構成したことを特徴とする。
【００１２】
本発明の第７の特徴は、前記軸部を軸回転方向に動作させることで前記異物に外力を付加することを特徴とする。
【００１３】
本発明の第８の特徴は、前記固着解消手段が、前記軸部を有した回転モータであることを特徴とする。
【００１４】
本発明の第９の特徴は、前記固着解消手段が、リニアモータであり、前記リニアモータの出力で前記軸部を軸回転方向に回転させるように構成したことを特徴とする。
【００１５】
本発明の第１０の特徴は、前記固着解消手段が、前記異物に化学反応を起こさせるものであることを特徴とする。
【００１６】
本発明の第１１の特徴は、前記固着解消手段が、界面活性剤を前記異物に向けて噴射する噴射器であることを特徴とする。
【００１７】
本発明の第１２の特徴は、前記固着解消手段が、熱を利用したものであることを特徴とする。
【００１８】
本発明の第１３の特徴は、前記軸部に、前記固着解消手段としてのヒータを取り付けたことを特徴とする。
【００１９】
本発明の第１４の特徴は、前記固着解消手段が、リニアモータであり、前記軸部に前記リニアモータの発熱が伝わるように構成したことを特徴とする。
【発明の効果】
【００２０】
本発明によれば、固着解消手段によって回転体と軸部とが固着してしまっても、その固着状態を解消することができる。その結果、回転体の円滑な回転を持続させることができるようになり、摩擦低減効果が損なわれてしまうのを抑制して、スムーズに体毛を剃ることができる。
【図面の簡単な説明】
【００２１】
【図１】本発明の第１実施形態にかかるかみそり器のヘッド部の断面図である。
【図２】図１に示すヘッド部の側面図である。
【図３】図１に示すかみそり器の軸部の動作を（ａ）、（ｂ）に順を追って示す説明図である。
【図４】本発明の第２実施形態にかかるかみそり器のヘッド部の断面図である。
【図５】本発明の第３実施形態にかかるかみそり器のヘッド部の断面図である。
【図６】本発明の第４実施形態にかかるかみそり器のヘッド部の断面図である。
【図７】本発明の第５実施形態にかかるかみそり器のヘッド部の断面図である。
【図８】本発明の第６実施形態にかかるかみそり器のヘッド部の断面図である。
【発明を実施するための形態】
【００２２】
以下、本発明の実施形態について図面を参照しつつ詳細に説明する。なお、以下では、本発明を電気かみそりに適用した場合を例示するが、本発明のかみそり器はこれに限定されず、例えば電動式ではないかみそり器やその他の除毛器を含むものとする。
【００２３】
［第１実施形態］
図１に示すように、本実施形態の電気かみそり１は、使用者が把持するグリップ部２と、このグリップ部２の先端部に連結されるヘッド部３とによって大略構成されている。
【００２４】
グリップ部２には、電気かみそり１を動作させる（電源をオン・オフさせる）押圧式のスイッチ（図示せぬ）が設けられている。
【００２５】
ヘッド部３は、グリップ部２に取り付けられるヘッド部本体６と、このヘッド部本体６に着脱自在に装着される刃ヘッドハウジング７とを備えている。
【００２６】
刃ヘットハウジング７は、外カバー９と、この外カバー９の内側に位置する回転軸支持部としての中心ボス部１１とを備えている。外カバー９と中心ボス部１１との間の２箇所の領域には、内刃１３と、その外側に位置して肌表面４１に接触する外刃１５とを有する一対の刃ユニット（刃部）１７が設けられている。
【００２７】
内刃１３の下端は、内刃カセット１４に支持され、内刃カセット１４の下部は、モータなどを備える振動源（図示せぬ）と連結される駆動軸１９に、連結ロッド２１を介して連結されている。なお、駆動軸１９は、刃ヘッドハウジング７の底板４５に形成された貫通孔４５ａに挿通されており、その駆動軸１９の基端部が振動源（図示せぬ）に連結されている。
【００２８】
また、内刃１３と駆動軸１９との間には、外刃１５を肌表面４１側に押し付けるスプリング４７と、内刃１３を外刃１５の内面に押し付けるスプリング４９とが介装されている。スプリング４９は、連結ロッド２１に対して内刃カセット１４を上方向に付勢している。これにより、内刃１３は、スプリング４９によって外刃１５の内面に押し付けられながら、振動源（図示せぬ）によって駆動軸１９、連結ロッド２１および内刃カセット１４を介して外刃１５の延在方向（図１の奥行方向）に振動する。
【００２９】
外刃１５は、直径数百μｍ程度の無数の孔を有する網目状に形成されており、その外刃１５の内側には、上述した内刃１３が配置されている。そして、外刃１５に対して内刃１３が相対移動（外刃１５の延在方向に往復動）することによって、これら内刃１３と外刃１５とが協働して体毛３９を切断するようになっている。
【００３０】
外刃１５は、断面逆Ｕ字状に形成されており、外刃１５を支持する外刃支持部としての外刃カセット２５に保持されている。外刃カセット２５は、内刃１３の全体を内方する形状を有し、外刃カセット２５の下端が外刃カセット基部４３となっている。
【００３１】
また、外刃カセット２５の端部外側には、係止突起２６が設けられ、係止突起２６は、外カバー９の内面および中心ボス部１１の側面にそれぞれ設けられる係止部２７、２９に係止される。これにより、外刃１５を保持する外刃カセット２５は、上方への抜け止めがなされている。
【００３２】
中心ボス部１１は、刃ヘッドハウジング７の底板４５に固定されるとともに、この中心ボス部１１の先端には、肌表面４１に接触しながら回転する回転体としてのローラ３１が設けられている。ローラ３１の先端は、外刃１５の先端面よりも肌表面４１側（図１の上方）に突出して配置されるようになっている。なお、図１の状態では、外刃１５の先端面よりもローラ３１の先端面を上方に突出させているものとする。
【００３３】
ローラ３１は、回転軸支持部としてのローラ支持ブラケット３３の先端に固定される回転支持軸（軸部）３５に回転可能に取り付けられている。
【００３４】
ローラ支持ブラケット３３は、中心ボス部１１に形成された空間１１ａ内に基端側を移動可能に挿入され、先端側が中心ボス部１１の先端に形成された開口部１１ｂから外部に突出されている。また、ローラ支持ブラケット３３は、空間１１ａ内に大径部３３ａを備え、この大径部３３ａが開口部１１ｂに引っ掛かることで、ローラ３１が抜け止めされている。
【００３５】
ところで、電気かみそり１で体毛３９を剃る際には、ヘッド部３の刃ユニット１７を肌表面４１にあてがった後、深剃りするために刃ユニット１７を肌表面４１に押し付けることになる。すると、ローラ３１が肌表面４１に接触し、この状態で電気かみそり１を移動させるとローラ３１が肌表面４１に沿って回転しつつ刃ユニット１７で体毛３９が切断される。このときのローラ３１の回転により、刃ユニット１７を移動させる際の摩擦力を低減して移動抵抗を小さくできることになる。
【００３６】
このとき、ローラ３１が肌表面４１に接触しながら回転するので、ローラ３１とこのローラ３１を支持する回転支持軸３５との間に、例えば髭くずや皮脂などの異物７０（図３（ａ）参照）がどうしても付着してしまう。その結果、その異物７０によってローラ３１と回転支持軸３５とが固着してしまい、ローラ３１の回転が円滑に行われなくなり摩擦低減効果が損なわれてしまう恐れがある。
【００３７】
そこで、本実施形態では、ローラ３１と回転支持軸３５との間に浸入した異物７０によるローラ３１と回転支持軸３５の固着結合状態を解消する固着解消手段を設けている。
【００３８】
具体的には、図２に示すように、本実施形態では、回転支持軸３５の一端部に固着解消手段としてのソレノイド（直動モータ）５８を取り付けている。このソレノイド５８は、刃ヘッドハウジング７の底板４５に固定された基台４８に支持台５１を介して取り付けられている。
【００３９】
そして、図３（ｂ）に示すように、ソレノイド５８によって回転支持軸３５を軸方向Ａに動作（本実施形態では往復動）させることで、ローラ３１と回転支持軸３５との間に付着した異物７０を破壊し、これらの固着結合状態を解消できるようにしている。
【００４０】
このように、本実施形態は、固着解消手段を異物７０に外力を付加するものとして構成し、この固着解消手段としてのソレノイド５８によって、回転支持軸３５を軸方向Ａに動作させることで異物７０に外力を付加するようにしたものである。
【００４１】
なお、本実施形態では、使用者が電気かみそり１を使用してローラ３１の不具合を感じた場合に、ソレノイド５８を駆動するようにしてもよいし、ローラ３１と回転支持軸３５の固着結合状態を検知するセンサなどを設けるようにしてもよい。後者の場合、センサが異物７０による固着を検知した場合に、例えば電気かみそり１の外郭に形成した表示部などによって使用者に知らせるのが好適である。
【００４２】
また、回転支持軸３５の動作によって異物７０を破壊させ易くするために、ローラ３１を拘束する拘束機構を設けたり、ローラ３１を通常より重く構成したりするようにしてもよい。あるいは、ソレノイド５８を駆動させた状態でローラ３１を肌表面４１に押し付けるようにしてもよい。こうすれば、肌表面４１でローラ３１を拘束できるので、回転支持軸３５のスライド動作に異物７０とローラ３１とが追従してしまうのを抑制して、異物７０を効果的に破壊することができる。
【００４３】
以上により、本実施形態の電気かみそり１によれば、ローラ（回転体）３１と回転支持軸（軸部）３５との間に浸入した異物７０によるローラ３１と回転支持軸３５の固着結合状態を解消する固着解消手段を設けている。そのため、固着解消手段によってローラ３１と回転支持軸３５とが固着してしまっても、その固着結合状態を解消することができる。その結果、ローラ３１の円滑な回転を持続させることができるようになり、摩擦低減効果が損なわれてしまうのを抑制して、スムーズに体毛３９を剃ることができる。
【００４４】
また、本実施形態によれば、固着解消手段を異物７０に外力を付加するものとして構成したので、異物７０を破壊してローラ３１と回転支持軸３５の固着結合状態を容易に解消することができる。
【００４５】
さらに、本実施形態によれば、回転支持軸３５を軸方向Ａに動作させることで異物７０に外力を付加するようにしている。そのため、回転支持軸３５の慣性によって異物７０とローラ３１もしくは回転支持軸３５間にせん断方向に外力を作用させることができ、より効果的に異物７０を破壊することができる。
【００４６】
さらにまた、本実施形態では、回転支持軸３５に固着解消手段としてのソレノイド（直動モータ）５８を取り付けている。そのため、回転支持軸３５を自動的に軸方向Ａに往復動させることができるようになり、ローラ３１と回転支持軸３５の固着結合状態をより一層解消することができる。
【００４７】
［第２実施形態］
図４は、本発明の第２実施形態を示した図であり、上記第１実施形態と同一構成部分に同一符号を付して重複する説明を省略して述べるものとする。
【００４８】
本実施形態の電気かみそりが上記第１実施形態と主に異なる点は、固着解消手段としての直動モータを、超音波モータ５２で構成したことにある。
【００４９】
図４に示すように、超音波モータ５２は、連結部材５９を介して回転支持軸３５に連結されており、例えば２０kHz以上の周波数で超音波モータ５２を駆動させると、連結部材５９を介して回転支持軸３５が軸方向Ａに動作するようになっている。
【００５０】
したがって、本実施形態によっても、図３（ｂ）に示すように、超音波モータ５２によって回転支持軸３５を軸方向Ａに往復動させることで、ローラ３１と回転支持軸３５との間に付着した異物７０を破壊し、これらの固着結合状態を解消することができる。
【００５１】
以上により、本実施形態によれば、回転支持軸３５に連結部材５９を介して固着解消手段としての超音波モータ（直動モータ）５２を取り付けている。そのため、回転支持軸３５の慣性によって異物７０とローラ３１もしくは回転支持軸３５間にせん断方向に外力を作用させることができ、より効果的に異物７０を破壊することができる。よって、ローラ３１の円滑な回転を長期に亘ってより確実に持続させることができる。
【００５２】
なお、本実施形態では、直動モータを超音波モータ５２で構成した場合を説明したが、リニアモータで構成するようにしてもよい。こうすれば、上記第２実施形態と同様の作用効果を得ることができるのは勿論のこと、刃ユニット１７の近傍に配置される固着解消手段のサイズを小さくでき、且つコストも抑えることができるので、より好適である。
【００５３】
［第３実施形態］
図５は、本発明の第３実施形態を示した図であり、上記第１実施形態と同一構成部分に同一符号を付して重複する説明を省略して述べるものとする。
【００５４】
本実施形態の電気かみそりが上記第１実施形態と主に異なる点は、固着解消手段が、回転支持軸（軸部）３５を有した回転モータ５０によって構成されたことにある。
【００５５】
すなわち、本実施形態は、回転支持軸３５を回転させることで異物７０に外力を付加するようにしたものである。
【００５６】
したがって、本実施形態では、図３（ｂ）に示すように、回転モータ５０によって回転支持軸３５を軸回転方向Ｂに動作させることで、ローラ３１と回転支持軸３５との間に付着した異物７０を破壊し、これらの固着結合状態を解消することができる。
【００５７】
なお、本実施形態では、例えば一定の周期などで回転支持軸３５を正回転と逆回転の交互に回転させるようにするのが好適である。こうすれば、異なる方向に異物を捻らすように外力を付加することができるので、より効果的に異物７０を破壊することができる。また、異物７０に付加される外力は、回転支持軸３５が動作する動き始めに最も大きな力が加わることとなる。よって、このことからも回転支持軸３５を常に一方向に回転させるのではなく、正回転と逆回転を交互に繰り返すことに意味があると言える。
【００５８】
また、本実施形態にあっても、回転支持軸３５の動作によって異物７０を破壊させ易くするために、ローラ３１を拘束する拘束機構を設けたり、ローラ３１を通常より重く構成したりしてもよい。
【００５９】
以上により、本実施形態によれば、回転支持軸３５を軸回転方向Ｂに動作させることで異物７０に外力を付加するようにしている。そのため、回転支持軸３５の慣性によって異物７０とローラ３１もしくは回転支持軸３５間にせん断方向に外力を作用させることができ、より効果的に異物７０を破壊することができる。よって、ローラ３１の円滑な回転を長期に亘ってより確実に持続させることができる。
【００６０】
また、本実施形態では、固着解消手段が、回転支持軸（軸部）３５を有した回転モータ５０によって構成されている。そのため、より簡素な構成で回転支持軸３５を軸回転方向Ｂに回転させることができるという利点がある。
【００６１】
さらに、本実施形態では、回転支持軸３５を正回転と逆回転の交互に回転させるようにしたので、より効果的に異物７０を破壊することができる。
【００６２】
［第４実施形態］
図６は、本発明の第４実施形態を示した図であり、上記第３実施形態と同一構成部分に同一符号を付して重複する説明を省略して述べるものとする。
【００６３】
本実施形態の電気かみそりが上記第３実施形態と主に異なる点は、固着解消手段がリニアモータ５２Ａであり、このリニアモータ５２Ａの出力で回転支持軸（軸部）３５を軸回転方向Ｂに回転させるように構成したことにある。
【００６４】
すなわち、本実施形態では、図６に示すように、リニアモータ５２Ａにラック５３が連結されているとともに、このラック５３の先端にピニオン５４が回転可能に取り付けられている。そして、ピニオン５４に伝達軸５５を介してねじ歯車５６が取り付けられ、このねじ歯車５６と接触してはす歯車５７が回転支持軸３５に回転可能に取り付けられている。
【００６５】
かかる構成では、リニアモータ５２Ａを駆動させるとラック５３によってピニオン５４が回転する。これにより、ねじ歯車５６が回転すると、回転支持軸３５がはす歯車５７を介して軸回転方向Ｂ（図３参照）に回転することとなる。
【００６６】
したがって、本実施形態によっても、図３（ｂ）に示すように、リニアモータ５２Ａによって回転支持軸３５を軸回転方向Ｂに回転させて、ローラ３１と回転支持軸３５との間に付着した異物７０を破壊してこれらの固着結合状態を解消することができる。
【００６７】
以上により、本実施形態によれば、固着解消手段としてのリニアモータ５２Ａの出力で回転支持軸（軸部）３５を軸回転方向Ｂに回転させるようにしている。そのため、回転支持軸３５の慣性によって異物７０とローラ３１もしくは回転支持軸３５間にせん断方向に外力を作用させることができ、より効果的に異物７０を破壊することができる。よって、ローラ３１の円滑な回転を持続させて、よりスムーズに体毛３９を剃ることができる。
【００６８】
また、本実施形態によれば、固着解消手段としてリニアモータ５２Ａを用いたことにより、刃ユニット１７の近傍に露出する固着解消手段のサイズを小さくして電気かみそり１を小型化でき、且つコストも抑えることができるという利点がある。
【００６９】
［第５実施形態］
図７は、本発明の第５実施形態を示した図であり、上記第１実施形態と同一構成部分に同一符号を付して重複する説明を省略して述べるものとする。
【００７０】
本実施形態の電気かみそりが上記第１実施形態と主に異なる点は、固着解消手段を異物７０に化学反応を起こさせるものとして構成したことにある。
【００７１】
具体的には、図７に示すように、本実施形態では、界面活性剤６３を噴射する噴射器６０が、刃ヘッドハウジング７の底板４５に固定された基台４８（図２参照）に支持台６１を介して取り付けられている。
【００７２】
また、外刃カセット基部４３の近傍には、界面活性剤６３を貯蔵するタンク６４が配設されており、このタンク６４と噴射器６０とが連結管６２で繋げられている。
【００７３】
したがって、本実施形態では、ローラ３１と回転支持軸３５とが固着してしまった場合に、例えば電気かみそり１の外郭に形成された図示せぬスイッチ（図示せぬ）を押して、連結管６２の内部などに配置されるポンプ（図示せぬ）を駆動させるようにする。すると、噴射器６０から界面活性剤６３が異物７０に向けて噴射されるので、これらローラ３１と回転支持軸３５との固着結合状態を化学的に破壊することができるようになる。
【００７４】
以上により、本実施形態によれば、固着解消手段を異物７０に化学反応を起こさせるものとして構成したので、化学反応を利用して異物７０を効果的に破壊でき、ローラ３１と回転支持軸３５の固着結合状態を容易に解消することができる。よって、ローラ３１の円滑な回転を持続させることができるようになり、よりスムーズに体毛３９を剃ることができる。
【００７５】
また、本実施形態によれば、固着解消手段が、界面活性剤６３を異物７０に向けて噴射する噴射器６０によって構成されている。そのため、異物７０がローラ３１や回転支持軸３５から剥離するように作用させて、より一層ローラ３１と回転支持軸３５の固着結合状態を解消することができるようになる。
【００７６】
［第６実施形態］
図８は、本発明の第６実施形態を示した図であり、上記第５実施形態と同一構成部分に同一符号を付して重複する説明を省略して述べるものとする。
【００７７】
本実施形態の電気かみそりが上記第５実施形態と主に異なる点は、熱を利用して異物７０を化学的に破壊させるようにしたことにある。
【００７８】
具体的には、図８に示すように、本実施形態では、固着解消手段がリニアモータ５２Ｂにより構成されており、リニアモータ５２Ｂと回転支持軸３５とを伝熱部材６５を介して連結することで、回転支持軸３５にリニアモータ５２Ｂの発熱が伝わるようにしている。
【００７９】
したがって、本実施形態では、ローラ３１と回転支持軸３５とが固着してしまった場合に、リニアモータ５２Ｂの発熱を伝熱部材６５、回転支持軸３５を介して異物７０に伝えることで、これらの固着結合状態を化学的に破壊することができる。
【００８０】
以上により、本実施形態によれば、固着解消手段が熱を利用したものとして構成されたので、異物７０に融解作用を生じさせてローラ３１と回転支持軸３５の固着結合状態を容易に解消することができる。
【００８１】
また、本実施形態によれば、固着解消手段が、リニアモータ５２Ｂにより構成されており、回転支持軸３５にリニアモータ５２Ｂの発熱が伝わるように構成している。そのため、刃ユニット１７の近傍に露出する固着解消手段のサイズを小さくして電気かみそり１を小型化でき、且つコストも低減できるので好適である。
【００８２】
なお、本実施形態では、固着解消手段をリニアモータ５２Ｂで構成した場合を説明したが、回転支持軸３５に、固着解消手段としてのヒータを取り付けるようにしてもよい。こうすれば、上記第６実施形態と同様の作用効果を得ることができるのは勿論のこと、回転支持軸３５に伝える熱の温度をより広い範囲とすることができるので、好適である。
【００８３】
以上、本発明の好適な実施形態について説明したが、本発明は上記実施形態には限定されず、種々の変形が可能である。
【００８４】
例えば、上記実施形態では、直動モータとして、ソレノイド、超音波モータ、リニアモータを例示したが、これに限定されず、回転支持軸を軸方向に動作させるものであれば、これ以外の直動モータであってもよい。
【００８５】
また、上記実施形態では、異物に化学反応を起こさせる手段として、界面活性剤を噴射させたり、熱を伝達するものを例示したが、これに限定されず、その他の手段を用いて化学反応を起こさせるようにしてもよい。
【符号の説明】
【００８６】
１    電気かみそり
１１  回転支持軸（軸部）
１７  刃ユニット（刃部）
３１  ローラ（回転体）
３９  体毛
４１  肌表面
５０  回転モータ（固着解消手段）
５８  ソレノイド（固着解消手段、直動モータ）
７０  異物
【図１】
2013111315.tif 000003
【図２】
2013111315.tif 000004
【図３】
2013111315.tif 000005
【図４】
2013111315.tif 000006
【図５】
2013111315.tif 000007
【図６】
2013111315.tif 000008
【図７】
2013111315.tif 000009
【図８】
2013111315.tif 000010